(57)【特許請求の範囲】
【請求項１】
金属ハロゲン電気化学エネルギーシステムであって、
（Ａ）コンテナであって、
（ａ）複数の水平に配置されたセルの垂直なスタックであって、複数の水平に配置されたセルのそれぞれが、
少なくとも１つの多孔性正電極と、
少なくとも１つの負電極と、
多孔性正電極と負電極との間の反応ゾーンと、を含む、複数の水平に配置されたセルの垂直なスタックと、
（ｂ）金属ハロゲン化物を含む電解質と、
（ｃ）複数の水平に配置されたセルの垂直なスタックを支える複数のセルフレームのスタックと、
（ｄ）複数のセルフレームのスタック内の各セルフレームにあるフィードマニホールド通路およびリターンマニホールド通路と、
（ｅ）複数のセルフレームのスタック内の整列されたフィードマニホールド通路により形成されたフィードマニホールドと、
（ｆ）複数のセルフレームのスタック内の整列されたリターンマニホールド通路により形成されたリターンマニホールドであって、複数の水平に配置されたセルから電解質を集めるように構成された上昇流動リターンマニホールドを備えるリターンマニホールドと、
（ｇ）各セルフレーム内に置かれた複数の分配チャネルであって、前記フィードマニホールドから前記反応ゾーンへ電解質を導入するとともに、前記反応ゾーンから前記リターンマニホールドへ電解質を導入するように構成された複数の分配チャネルと、を備えるコンテナと、
（Ｂ）複数の水平に配置されたセルのそれぞれの反応ゾーンを通して電解質の流れを運ぶように構成されているので、前記反応ゾーンを通って流れる時に、電解質が多孔性正電極を通過し、負電極のそばを通るようになる循環ポンプと、
を備えるシステム。
【請求項２】
請求項１記載のシステムにおいて、
多孔性正電極は多孔性炭質材料を含み、電解質は水性の塩化亜鉛電解質を含むシステム。
【請求項３】
請求項１記載のシステムにおいて、
前記循環ポンプは前記コンテナ内に置かれ、前記コンテナは複数の水平に配置されたセルの垂直なスタックの下に電解質保管リザーバを備え、前記循環ポンプはフィードマニホールドを通して前記電解質保管リザーバから複数の水平に配置されたセルの垂直なスタックに電解質の流れを運ぶように構成されるシステム。
【請求項４】
請求項１記載のシステムにおいて、
複数の分配チャネルのそれぞれが同じ長さと同じ数および半径のベンドとを有するように、電解質の流れをそれぞれ二分割する流れ分割ノードにより複数の分配チャネルを形成するシステム。
【請求項５】
請求項１記載のシステムにおいて、
負電極は亜鉛を含み、金属ハロゲン化物の金属成分は亜鉛を含み、電解質は（ｉ）金属ハロゲン化物を含む少なくとも１つの水性電解質と（ｉｉ）ハロゲン反応物とを含む電解質混合物を含むシステム。
【請求項６】
請求項５記載のシステムにおいて、
ハロゲン反応物は、前記システムの中のソースから供給されるシステム。
【請求項７】
金属ハロゲン電気化学エネルギーシステムを使用する方法であって、
（Ａ）複数の水平に配置されたセルの垂直なスタックを備えるコンテナを備えるシステムを提供するステップであって、複数の水平に配置されたセルのそれぞれが、
少なくとも１つの多孔性正電極と、
少なくとも１つの負電極と、
多孔性正電極と負電極との間の反応ゾーンと、を含む、コンテナを備えるシステムを提供するステップと、
（Ｂ）（ｉ）金属ハロゲン化物を含む少なくとも１つの水性電解質と（ｉｉ）ハロゲン反応物とを混合して電解質混合物を形成するステップと、
（Ｃ）電解質混合物の流れを多孔性正電極に運び、多孔性正電極でハロゲン反応物を還元してハロゲンイオンに富む電解質混合物を形成し、そのハロゲンイオンに富む電解質混合物が負電極のそばを通り、電解質混合物が多孔性正電極を通過するステップと、
（Ｄ）電解質混合物の流れが止まった時に、前記システムの自己放電を防止するために少なくとも１つのセルにバランシング電圧を加えるステップと、
を含む方法。
【請求項８】
請求項７記載の方法において、
金属ハロゲン化物の金属成分は、亜鉛を含む方法。
【請求項９】
請求項７記載の方法において、
ハロゲン反応物は、前記システムの中のソースから供給される方法。
【請求項１０】
請求項７記載の方法において、
金属ハロゲン化物のハロゲン成分は塩素を含み、水性電解質は塩化亜鉛電解質を含み、ハロゲン反応物は塩素反応物を含む方法。
【発明の詳細な説明】
【技術分野】
【０００１】
本発明は、金属ハロゲン電気化学エネルギーシステムに関する。
【背景技術】
【０００２】
１つのタイプの電気化学エネルギーシステムは、通常正の電極で還元されるハロゲン成分と、電気化学システムの通常ディスパッチ(normal dispatch) 中に酸化されるようになっている酸化可能な金属とを使用する。ハロゲン成分が正電極で還元されるときにハロゲン成分の供給を補充するために水性電解質が使用される。電解質は、酸化された金属および還元されたハロゲンの溶解イオンを含み、正電極で消費されるべく電極領域とリザーバ領域と元素状ハロゲン注入および混合領域との間を循環させられる。このようなシステムの一例は、亜鉛および塩素のシステムを使用する。
【０００３】
このような電気化学エネルギーシステムは、米国特許第３，７１３，８８８号（特許文献１）、第３，９９３，５０２号（特許文献２）、第４，００１，０３６号（特許文献３）、第４，０７２，５４０号（特許文献４）、第４，１４６，６８０号（特許文献５）、および第４，４１４，２９２号（特許文献６）を含む先行特許に記載されている。このようなシステムは、エレクトリック・パワー・リサーチ・インスティテュートにより発行された１９７９年４月付けのＥＰＲＩレポートＥＭ−１０５１（パート１〜３）(EPRI Report EM-1051 (Parts 1-3) dated April 1979, published by the Electric Power Research Institute)にも記載されている。前に引用された参考文献の具体的な教示は、本願明細書において参照により援用されている。
【先行技術文献】
【特許文献】
【０００４】
【特許文献１】米国特許第３，７１３，８８８号
【特許文献２】米国特許第３，９９３，５０２号
【特許文献３】米国特許第４，００１，０３６号
【特許文献４】米国特許第４，０７２，５４０号
【特許文献５】米国特許第４，１４６，６８０号
【特許文献６】米国特許第４，４１４，２９２号
【非特許文献】
【０００５】
【非特許文献１】EPRI Report EM-1051 (Parts 1-3) dated April 1979, published by the Electric Power Research Institute
【発明の概要】
【０００６】
先行する電気化学エネルギーシステムには待機アプリケーションのために一定の弱点あるいは不利な点がある。それは、次のものを含むが、それらに限定はされない。
●放電済み状態にある間の利用可能性を除外して、システムを充電することを必要とせずに充分なエネルギーを蓄積することができないこと。
●放電中に能動的冷却システムを必要とするという複雑さおよび非能率があり、それが容量をさらに減少させる可能性があること。
●故障の兆候の診断に曖昧性があり、それが故障の確率を顕著に高める可能性があること。
●水素が発生し、それが顕著で高価な安全問題であり得ること。
【０００７】
待機アプリケーションに関しての、先行する金属ハロゲンシステムの具体的な弱点あるいは不利益な点は、次のものを含むが、それらに限定はされない。
●自己放電に起因する顕著な容量ロスを伴わずに即応状態を維持することができないこと。
●電位の異なるセル同士の間の内部シャントカレントからの亜鉛金属の不良分布が、利用し得る容量をさらに減少させること。
●作動中のシャントカレントを最少化するために必要とされる長い小直径チャネルが、ポンプ損失によりシステム容量をさらに減少させること。
●充電モード中の金属デンドライト成長が金属ハロゲンシステムを永久的に損傷させて早期の危険な故障状態に至る可能性があること。
【０００８】
本発明は、これらの弱点および不利な点のうちの幾つかあるいは全部に対処しようと試みる。本発明は、実際にこれらの弱点および不利な点に対処する実施形態に限定されない。
これらの弱点および不利な点のうちの幾つかあるいは全部に対処しようと試みる本発明の幾つかの実施形態は、金属ハロゲン電気化学エネルギーセルシステムである。これらの実施形態は、好ましくは、少なくとも１つの正電極および少なくとも１つの負電極と、その正電極および負電極の間の反応ゾーンと、金属およびハロゲンを含む少なくとも１つの電解質と、その電解質を反応ゾーンを通して運ぶ循環ポンプであって、ポンプの前で、このポンプにおいて、またはポンプの後で電解質とハロゲン反応物とが混合される循環ポンプと、を備える。好ましくは、正電極は多孔性炭質材料から作られ、負電極は亜鉛から作られ、金属は亜鉛を含み、ハロゲンは塩素を含み、電解質は水性塩化亜鉛電解質を含み、ハロゲン反応物は塩素反応物を含む。この構成の１つの効果は、電位の生成である。
【０００９】
１つの好ましい実施形態は、電解質およびハロゲン反応物を混合する混合ベンチュリと、ハロゲン反応物の混合ベンチュリへの流れを制御するメータリングバルブまたは容積式ポンプとを備える。
電解質の流れは、好ましくは、反応ゾーンを通して運ばれる前に並列の１次、２次、および３次の二分割を受け、これにより反応ゾーンへの別々の経路のために同じ流動抵抗を提供する。
システムの好ましい実施形態は、電解質が循環ポンプによりそこからセルに運ばれると共に電解質がセルからそこに戻るところのリザーバと、セルからのガスのパージを容易にするための上昇流動電解質リターンマニホールドと、電解質がそれを通ってセルからリザーバに戻るところのリターンパイプとをも備える。
【００１０】
ハロゲン反応物は、好ましくは外部ソースから供給され、好ましくは加圧されて供給される。この文脈において、「外部」はシステムにとっての外部を指す。外部ソースからのハロゲンの膨張のエンタルピーはシステムを冷却するように作用する傾向を有する。あるいは、ハロゲン反応物をシステムの中のソースから供給することができる。
システムは好ましくは複数のそのようなセルを備え、その各々は水平であって、複数のものがシステムにおいて垂直に積み重ねられる。セルのジオメトリーにおける垂直のステップは、複数のセルの各々の中で電解質流動経路が遮られるという結果をもたらすのに役立ち、これにより、そうでなければ電解質の流れが止まった後に生じ続けるであろうシャントカレントを遮る。
【００１１】
複数のセルは、好ましくは複数のセルフレームを備える。セルフレームは、複数のセルの圧力コンテナ内への挿入を容易にするために円形であることができる。好ましい形のセルフレームは、それぞれ、フィードマニホールドエレメントと、分配チャネルと、流れ分割ノードと、スペーサレッジと、合流ノードと、コレクションチャネルと、リターンマニホールドエレメントとを備える。この形を有するセルフレームが積み重ねられる時、これらの構造はシステム内に付加的な構造を形成する。具体的には次のとおりである。
●複数のセルフレームの各々のフィードマニホールドエレメントは、セルフレームのうちの他のもののフィードマニホールドエレメントと整列し、これによりフィードマニホールドを形成する。
●セルフレームの各々の分配チャネルおよび流れ分割ノードは、セルフレームのうちの他のものの分配チャネルおよび流れ分割ノードと整列し、これにより分配ゾーンを形成する。
●各セルのための正電極は、各セルのための負電極の上または下でセルフレームのスペーサレッジに座し、これにより正電極および負電極の交互の層を形成する。
●複数のセルフレームの各々の合流ノードおよびコレクションチャネルは、セルフレームのうちの他のものの合流ノードおよびコレクションチャネルと整列し、これによりコレクションゾーンを形成する。
●セルフレームの各々のリターンマニホールドエレメントは、セルフレームのうちの他のもののリターンマニホールドエレメントと整列し、これによりリターンマニホールドを形成する。
【００１２】
セルフレームは、流体流動および電気ワイヤまたはケーブルのためのバイパス導管エレメントを備えることができ、好ましくは、セルフレーム同士を互いに整列させ固定するために整列クランピングエレメントのためのパススルー(pass-through)を提供する。
本発明は、セルフレームを含むセルを有するシムに限定されない。
セルフレームが使われても使われなくても、システムの好ましい実施形態は、複数のセルへの電解質のためのフィードマニホールドおよび分配ゾーンと、複数のセルからの電解質のためのコレクションゾーンおよびリターンマニホールドとを備える。各セル内の正電極および負電極は、好ましくは、電解質の流れが止まってフィードマニホールド、分配ゾーン、コレクションゾーン、およびリターンマニホールドの内容物が捌ける時に各セル内の電解質のプールとの接触を保つように構成される。
或る実施形態では、システムが待機またはステイシス(stasis)モードである時に電気化学反応を抑制し、それによりシステムの利用可能性を維持するためにバランシング電圧が加えられ得る。システム内での逆電流の流れを抑制するためにシステムの出力端子にブロッキングダイオードを付けることもできる。
【００１３】
システムの好ましい実施形態の基本的な動作は次のとおりである。元素状塩素などのハロゲンが計量されて電解質に入れられる混合ベンチュリを通してリザーバから水性電解質が吸い上げられる。ハロゲンは電解質と混合して溶解し、同時にその液化の潜熱は混合物を冷却する。冷却されたハロゲン化された水性電解質はポンプを通過してスタックアセンブリ内の正電極に運ばれる。正電極は、好ましくは、多孔性グラファイト−塩素(porous graphite-chlorine)などの多孔性炭質材料から作られる。電解質は正電極を通過し、溶解したハロゲンを還元する。ハロゲンイオンに富む電解質は、その後、好ましくは亜鉛などの金属から作られた１つまたはそれ以上の負電極のそばを通り過ぎ、そこで電極溶解が起こる。これらの反応は電極スタック端子から電力を生じさせ、金属とハロゲンとの反応によって電解質中に金属−ハロゲンが形成される。
本発明は、本発明による金属ハロゲン電気化学エネルギーセルシステムの実施形態によって実行されるプロセスと、他のシステムおよびプロセスも含む。
【００１４】
この簡単な要約は、本発明の本質が直ぐに理解され得るように提供されている。本発明の他の目的、特徴、および利点は、本願明細書の記述、好ましい実施形態を示す図面、および特許請求の範囲から明らかとなるであろう。
【図面の簡単な説明】
【００１５】
【図１】本発明に従う金属ハロゲン電気化学エネルギーセルシステムを示す。
【図２】図１に示されているシステムの実施形態のセルプレートを通る電解質の流動経路を示す。
【図３】図１および図２に示されているシステムにおいて使用され得るセルフレームを示す。
【発明を実施するための形態】
【００１６】
電解質エネルギーセルシステム
図１は、本発明に従う金属ハロゲン電気化学エネルギーセルシステムを示す。
これらの弱点および不利な点のうちの幾つかあるいは全部に対処しようと試みる本発明の一実施形態は、金属ハロゲン電気化学エネルギーセルシステムである。この実施形態は、少なくとも１つの正電極および少なくとも１つの負電極と、その正電極および負電極の間の反応ゾーンと、金属およびハロゲンを含む少なくとも１つの電解質と、その電解質を反応ゾーンを通して運ぶ循環ポンプとを備える。ポンプの前で、ポンプにおいて、またはポンプの後で、例えば混合ベンチュリを用いて、電解質とハロゲン反応物とが混合され得る。好ましくは、正電極は多孔性炭質素材から作られ、負電極は亜鉛から作られ、金属は亜鉛を含み、ハロゲンは塩素を含み、電解質は水性塩化亜鉛電解質を含み、ハロゲン反応物は塩素反応物を含む。この構成の１つの効果は、電位の生成である。
【００１７】
この実施形態の基本的な動作は次のとおりである。元素状塩素などのハロゲンが計量されて電解質に入れられる混合ベンチュリを通してリザーバから水性電解質が吸い上げられる。ハロゲンは電解質と混合して溶解し、同時にその液化の潜熱は混合物を冷却する。冷却されハロゲン化された水性電解質はポンプを通過してスタックアセンブリ内の正電極に運ばれる。正電極は、好ましくは、多孔性グラファイト−塩素などの多孔性炭質材料から作られる。電解質は正電極を通過し、溶解したハロゲンを還元する。ハロゲンイオンに富む電解質は、その後、好ましくは亜鉛などの金属から作られた１つまたはそれ以上の負電極のそばを通り過ぎ、そこで電極溶解が起こる。これらの反応は電極スタック端子から電力を生じさせ、金属とハロゲンとの反応によって電解質中に金属−ハロゲンが形成される。
【００１８】
図１は、前述したものを達成するために設計されたコンテナ１１に収容された電気化学エネルギーシステムを示す。図２のシステムは、図１に示されているように、２つの基本的な部分、すなわちスタックアセンブリ１２およびリザーバ１９を含む。
スタックアセンブリ１２は、少なくとも１つの多孔性電極および少なくとも１つの金属電極を含む複数のセルまたはセルアセンブリ１３から構成される。セルは好ましくは垂直に積み重ねられる。加圧されたハロゲン反応物が、フィードパイプ１５を介してシステム外のソースからメータリングバルブ１７を通して混合ベンチュリ１８に供給される。循環ポンプ１６は、電解質をリザーバ１９から混合ベンチュリ１８を通して、スタックアセンブリ１２を通して、そしてリターンパイプを通してリザーバ１９に循環させる。電解質中に、それがセルからリザーバに戻る時に、多少のハロゲン反応物が残っている可能性があることに留意するべきである。
【００１９】
１つの好ましい実施形態では、多孔性電極は炭質材料を含み、金属は亜鉛を含み、金属電極は亜鉛を含み、ハロゲンは塩素を含み、電解質は水性塩化亜鉛電解質を含み、ハロゲン反応物は塩素反応物を含む。
１つの好ましい実施形態では、この構成は２ボルトの電位を各々有するセルをもたらし、２１個のセルを有するスタック構成に４２ボルトの電位を与える。外部ソースからのハロゲンの膨張のエンタルピーは好ましくはシステムを冷却する。従って、過剰な熱を生じさせることなく強い電位が提供され得る。
【００２０】
電解質流動
図２は、図１に示されているシステムの１つの実施形態のセルプレートを通る電解質の流動経路を示す。この図において、電解質流動経路２８は矢印により表されている。これらの経路は、フィードマニホールド２１から、分配ゾーン２２へ、多孔性電極２３を通り、金属電極２５の上をコレクションゾーン２６へ、リターンマニホールド２７を通り、リターンパイプ２９へ存在している。
１つの好ましい実施形態では、金属電極２５の底面上の膜２４は、多孔性電極を通過する前の電解質の流れを金属電極に接触させないように遮る。これらの膜は、好ましくは、接着剤で金属電極の底に固定されたプラスチック膜である。他の方法で固定された他のタイプの膜も使用され得る。あるいは、この膜は省略されてもよい。
【００２１】
図２に示されている構成では、各セル内の多孔性電極および金属電極は、電解質の流れが止まってフィードマニホールド、分配ゾーン、コレクションゾーン、およびリターンマニホールドの内容物が捌ける時に各セル内の電解質のプールとの接触を保つように構成されている。
さらに、垂直に積み重ねられたセルとセルのジオメトリーとは、そうでなければ電解質の流れが止まった時に生じるであろうシャントカレントを遮るのに役立つ電解質の流動経路を複数のセルの各々の中にもたらす。これらのシャントカレントは、使用可能な電位を全く生じさせずに金属プレートを腐食させるプレート間の反応に至る可能性を有するので、望ましくない。
多孔性電極を通して運ばれる前に、ハロゲン反応物と混合された電解質は、好ましくは、多孔性電極への別々の経路のために同じ流動抵抗を提供するために１次、２次、および３次の分割を受ける。各分割は、好ましくは流れを二分割するが、必ずしもそうでなくてもよい。図３は、これらの分割を達成できる１つの可能なセルデザインを示す。
【００２２】
セルフレーム
図３は、図２に示されている構造および流れを達成するためにセルフレームを使用するセルデザインを示す。これらのセルフレームは、好ましくは、フィードマニホールドエレメント３１と、分配チャネル３２と、流れ分割ノード３３と、スペーサレッジ３５と、合流ノード３６と、コレクションチャネル３７と、リターンマニホールドエレメント３８と、バイパス導管エレメント３４とを備える。
【００２３】
電極が正しい位置に置かれてこれらのセルフレームが垂直に積み重ねられた時、これらのエレメントは結合して、次のように図２に示されているエレメントを形成する。
●複数のセルフレームの各々のフィードマニホールドエレメントは、セルフレームのうちの他のもののフィードマニホールドエレメントと整列し、これによりフィードマニホールドを形成する。
●セルフレームの各々の分配チャネルおよび流れ分割ノードは、セルフレームのうちの他のものの分配チャネルおよび流れ分割ノードと整列し、これにより分配ゾーンを形成する。
●各セルのための多孔性電極は、各セルのための金属電極の上または下でセルフレームのスペーサレッジに座し、これにより多孔性電極および金属電極の交互の層を形成する。
●複数のセルフレームの各々の合流ノードおよびコレクションチャネルは、セルフレームのうちの他のものの合流ノードおよびコレクションチャネルと整列し、これによりコレクションゾーンを形成する。
●セルフレームの各々のリターンマニホールドエレメントは、セルフレームのうちの他のもののリターンマニホールドエレメントと整列し、これによりリターンマニホールドを形成する。
●セルフレームの各々のバイパス導管エレメントは、セルフレームのうちの他のもののバイパス導管エレメントと整列し、これにより流体の流れおよび／または電気ワイヤまたはケーブルのためのバイパス導管を形成する。
【００２４】
セルフレームは、好ましくは、コンテナ１１などの圧力コンテナへの複数のセルの挿入を容易にするために円形である。
セルフレームを基礎とするデザインは、一様な分布を有する低損失の電解質の流れ、二極性電気デザイン、製造容易性、内部バイパス経路、および動作ステイシスモード（以下で記述される）の達成を可能にするエレメントを容易にする。セルフレームの新機軸は、反応ゾーンへのセルあたりに８個のフィードチャネルを与えるための流れチャネルにおける１次、２次、および３次の分割を含む分配ゾーンの流れ分割デザインを含むが、これに限定はされない。このデザインは、反応ゾーンへの各出口が同じ長さのチャネル、同じ数および半径のベンドを通過し、至る所に層流が存在しかつ各分割の前に一様な層流が存在するということを保証しようと試みる。このデザインは、電解質において、流速と無関係にフローボリュームの分割を等しく促進し、粘度の均一性、あるいは濃度の均一性を促進する。気相および液相の混合物がシステムを通して送られる時にこれらの特徴が特に重要であることが見出されている。
あるいは、同じタイプの構造および流れ（すなわち、図２に示されているもの）がセルフレームを用いずに達成され得る。
【００２５】
動作のモード
本発明に従うエネルギーセルシステムは、好ましくは、３つの動作モード、すなわちオフモードと、パワーモードと、ステイシスモードとを有する。これらのモードは、以下で亜鉛−塩素システムの文脈で記述される。しかし、モードは他の金属−ハロゲンシステムを用いても実現され得る。
オフモードは、通例、保管または運送のために使用される。オフモード中は、循環ポンプはオフである。スタックアセンブリ内の少量の元素状塩素は還元され、亜鉛イオンと化合して塩化亜鉛を形成する。スタック端子は、好ましくは、短絡抵抗器を介して接続され、ゼロボルトのスタック電位を生じさせる。外部電圧源を介してシステムを通る逆電流を遮断するために、好ましくはブロッキングダイオードが使用される。
【００２６】
パワーモード中は、電解質循環ポンプは噛み合わされる。溶解した塩素を含む陰極液は、亜鉛陽極プレートを含むスタックアセンブリを通して循環させられる。好ましくはセルあたりに２．０２ボルトの電位を伴って電子は亜鉛イオンが形成される時に放出されて塩素イオンが形成される時に捕捉され、これにより、好ましくはスタックアセンブリの各端部に置かれたコレクタプレートの端子から電力を生じさせる。システムからの電力に対する需要は、塩素を消費してリザーバ内の圧力を低下させ、メータリングバルブをしてより高い圧力の塩素を混合ベンチュリ内に放出せしめる。このデザインの特徴は、塩素ガスの電解質中への溶解を促進すると共に注入箇所での凍結の危険なしで電解質を一様に冷却するのに役立つ。注入速度は、好ましくは、スタックアセンブリ内での電気化学反応速度により決定される。メータリングバルブと循環ポンプとは、好ましくは、急速に変動する瞬時電力需要に釣り合う充分な応答速度を提供する。圧縮された塩素がシステム中に放出される時、その膨張のエンタルピーは、エネルギーセルを熱的作動限界内に保つために充分な熱を吸収するべきである。
【００２７】
ステイシスあるいは待機モード中は、電解質の流れあるいは塩素の注入は殆どあるいは全く存在するべきでない。システムの利用可能性は、好ましくは、システムの利用可能性を維持するために加えられるバランシング電圧を介して維持される。このバランシング電圧は、循環ポンプがオフの状態にあるときに生じる可能性のある電気化学的反応力(electrochemical reaction force)を打ち消す正確な電位をセルスタックにおいて維持することによって自己放電を防止するのに役立つ。セルプレートの特別なデザインは、二極電極プレートを通してのセル間の電気的導通を維持すると同時に、他の場合にフィードマニホールドおよびリターンマニホールドを通って流れるであろうシャントカレントを遮るのに役立つ。
これらは好ましい動作のモードであるが、本発明はこれらのモードあるいはこれらのモードの細目には限定されない。それどころか、或る実施形態は、これらのモードのうちの或るものを有するかも知れず、あるいはこれらのモードのうちのいずれをも有しないかも知れず、あるいは異なる動作モードを有するかもしれない。
【００２８】
発明の概論
この出願は、可能な最も一般的な形で読まれるべきである。これは、限定なしで、次のものを含む。
●具体的な技術への言及は、特に発明の態様を、または発明品がどのように作られあるいは使用され得るかということを論じる時には、代わりの技術およびより一般的な技術を含む。
●「好ましい」技術への言及は、発明者がそれらの技術を使用することを意図し、それらが意図された応用のために最善であると発明者が考えていることを一般的に意味する。これは、発明のための他の技術を排除せず、また、これらの技術が必然的に不可欠であることあるいはあらゆる事情の下で好ましいであろうということを意味しない。
●幾つかの実施例についての熟慮されている原因および効果への言及は、他の実施例で生じるかもしれない他の原因および効果を排除しない。
●特定の技術を用いる理由への言及は、述べられた理由または技術が同様に適切ではないことを事情が示す場合には、たとえ正反対であっても、他の理由あるいは技術を排除しない。
【００２９】
さらに、本発明は、本願明細書で開示された特定の実施形態および例の細目には決して限定されない。本発明の内容、範囲および真意の中に留まる他の多くの変化形が可能であり、それらの変化形は当業者にはこの出願の熟読後に明らかになるであろう。
【図１】
0005503293.tif 000002
【図２】
0005503293.tif 000003
【図３Ａ】
0005503293.tif 000004
【図３Ｂ】
0005503293.tif 000005